(57)【要約】【課題】フォーミングのための作業を簡略化すると共にコストを低減し、さらに携帯機器の薄型化、小型化を図ることができる。【解決手段】携帯機器本体１３に電池３０を収容することで電池３０と携帯機器本体１３とで凹状の通路を形成すると共に、通路内に電池３０に備える電池コード２８を位置させる棚部２７を備える。【選択図】図１
2007053104.tif 000002
【特許請求の範囲】
【請求項１】
携帯機器本体に電池コードを接続して電池を装填する電池の収納構造であって、前記携帯機器本体に前記電池を収容することで前記電池と前記携帯機器本体とで凹状の通路を形成すると共に、前記通路内に前記電池コードを位置させる棚部を備えたことを特徴とする電池の収納構造。
【請求項２】
請求項１に記載の電池の収納構造であって、前記電池コードは複数本からなり、前記棚部は前記複数本からなる電池コードを通路内に一列に並べて配置するように設けられていることを特徴とする電池の収納構造。
【請求項３】
請求項２に記載の電池の収納構造であって、前記一列に並べて配置された複数本からなる電池コードは、電池と携帯機器本体との間に挟み込まれるように配置されていることを特徴とする電池の収納構造。
【請求項４】
請求項１乃至請求項３のいずれか一に記載の電池の収納構造により電池を携帯機器本体内に収納したことを特徴とする携帯機器。
【発明の詳細な説明】
【技術分野】
【０００１】
本発明は、携帯機器に電池を装填する際に電池コードをフォーミングする電池の収納構造及びこれを用いた携帯機器に関するものである。
【背景技術】
【０００２】
一般に、携帯電話、ＰＨＳ（簡易型携帯電話）等の小型の携帯機器は、図７に示される如く、携帯機器本体１と、携帯機器本体１に装填する電池２と、電池２を覆うよう携帯機器本体１に装着する電池蓋（図示せず）と備えている。
【０００３】
携帯機器本体１は、フロントケース３とリアケース４により回路（図示せず）を内蔵した折り畳みタイプのものであり、折り畳みタイプの内面側に位置するフロントケース３には、電話番号等を表示する表示画面（図示せず）と、数字や文字を入力する操作キー（図示せず）とを備え、折り畳みタイプの外側面に位置するリアケース４には、所定凹状の電池収納部５を形成し、電池収納部５の上方位置には、所定凹状の電池コードスペース６を設けると共に、回路に接続されたレセプタクル７を露出させるよう所定形状の孔８を穿設し、電池収納部５の上方側面５ａ及び周囲部５ｂには、電池蓋に形成された複数の電池蓋ツメ（図示せず）を受け入れて掛止させるツメ挿入部９を形成している。
【０００４】
一方、電池２には、所定長さで複数本の電池コード１０を介して先端にコネクタ１１を備えており、電池コード１０の中途位置には、複数本の電池コード１０がばらばらにならないよう、電池コード１０をフォーミング（まとめて整列）させるよう熱収縮チューブ１２を巻き付けている。
【０００５】
携帯機器本体１に電池２を収納する際には、レセプタクル７にコネクタ１１を接続して電池２と回路を接続し、電池コード１０が電池２の収納及び電池蓋の装着に邪魔にならないよう電池コード１０を電池コードスペース６に這わせ、電池２を電池収納部５に嵌め込んで携帯機器本体１内の所定位置に配置し、更に、電池蓋の電池蓋ツメをツメ挿入部９に挿入して電池蓋をスライドさせることにより、リアケース４の外装面となるよう携帯機器本体１に電池蓋を装着する。
【０００６】
ここで、電池コード１０は、熱収縮チューブ１２によってフォーミング（まとめて整列）されることにより、携帯機器本体１に電池２を収納する際に、電池コード１０が電池蓋に引っ掛かることがない。
【０００７】
また、同様の構成を有する携帯型無線通信機が特許文献１に開示されている。
【特許文献１】特開２０００−２７００６５
【発明の開示】
【発明が解決しようとする課題】
【０００８】
しかしながら、電池コード１０のフォーミングのため熱収縮チューブ１２を電池コード１０に巻き付ける作業は非常に手間が係ると共にコストアップにつながる一方、熱収縮チューブ１２の厚みにより、携帯機器本体１の薄型化に支障を来たす虞れがあった。
【０００９】
本発明は、斯かる実情に鑑み、電池コードをフォーミングすると共に、電池コードに巻き付ける熱収縮チューブを不要にする電池の収納構造及び携帯機器を提供しようとするものである。
【課題を解決するための手段】
【００１０】
本発明の請求項１は、携帯機器本体に電池コードを接続して電池を装填する電池の収納構造であって、前記携帯機器本体に前記電池を収容することで前記電池と前記携帯機器本体とで凹状の通路を形成すると共に、前記通路内に前記電池コードを位置させる棚部を備えたことを特徴とする電池の収納構造、にかかるものである。
【００１１】
本発明の請求項２は、請求項１に記載の電池の収納構造であって、前記電池コードは複数本からなり、前記棚部は前記複数本からなる電池コードを通路内に一列に並べて配置するように設けられていることを特徴とする電池の収納構造、にかかるものである。
【００１２】
本発明の請求項３は、請求項２に記載の電池の収納構造であって、前記一列に並べて配置された複数本からなる電池コードは、電池と携帯機器本体との間に挟み込まれるように配置されていることを特徴とする電池の収納構造、にかかるものである。
【００１３】
本発明の請求項４は、請求項１乃至請求項３のいずれか一に記載の電池の収納構造により電池を携帯機器本体内に収納したことを特徴とする携帯機器、にかかるものである。
【発明の効果】
【００１４】
本発明の請求項１によれば、携帯機器本体に電池を収容することで電池と携帯機器本体とで凹状の通路を形成すると共に、前記通路内に電池コードを位置させる棚部を備えるので、フォーミングのための作業を簡略化すると共にコストを低減し、また電池コードに巻き付ける熱収縮チューブを不要にできる。更には電池コードの配置により携帯機器の薄型化を図ることができる。
【００１５】
本発明の請求項２によれば、棚部は複数本からなる電池コードを通路内に一列に並べて配置するように設けてあるので、電池コードを綺麗にフォーミングすることができると共に、棚部上方にスペースを確保することができ、携帯機器の設計の自由度を高めることができる。
【００１６】
本発明の請求項３によれば、一列に並べて配置された複数本からなる電池コードを、電池と携帯機器本体との間に挟み込んで配置するので、フォーミングのための作業を一層簡略化すると共にコストを更に低減することができると共に、電池コードの抜けを防止できる。
【００１７】
本願の請求項４によれば、前記電池の収納構造を用いて電池を携帯機器本体内に収納して携帯機器を構成するので、電池コードに巻き付ける熱収縮チューブを不要にし、組み立て作業を簡略化すると共にコストを低減し、更には電池コードの配置により携帯機器を薄型化することができる。
【発明を実施するための最良の形態】
【００１８】
以下、本発明の実施の形態を図示例と共に説明する。
【００１９】
図１〜図５は本発明を実施する形態の一例である。
【００２０】
折り畳みタイプの携帯機器本体１３は、外側面に位置するリアケース１４に所定凹状の電池収納部１５を形成し、電池収納部１５の上方位置には、回路（図示せず）に接続されたレセプタクル１６を露出させるよう所定形状の孔１７を穿設し、電池収納部１５の上方壁面１８及び周囲部１９には、電池蓋２０に形成された複数の電池蓋ツメ２１を受け入れて掛止させるツメ挿入部２２を形成している。
【００２１】
又、電池収納部１５の上部に露出させたレセプタクル１６の隣接位置には、電池収納部１５の上方壁面１８から上方中央位置に穿設されるよう、携帯機器本体１３の厚み方向に向かって略長方形の貫通孔２３を金型の押し切りにより形成しており、貫通孔２３の底面には回路のシールドケース２４を位置させることにより、貫通孔２３の枠とシールドケース２４の上面とで凹部２５を構成している。
【００２２】
更に、電池収納部１５の上方位置には、電池収納部１５の上方壁面１８と略平行な基部２６を備え、基部２６の上端部には、携帯機器本体１３の厚みにおける凹部２５とツメ挿入部２２との間に位置するよう凹部２５の水平面より一回り小さい板状の棚部２７を形成している。
【００２３】
ここで、凹部２５の底面（シールドケース２４の上面）から棚部２７の下面までの距離Ｌ１は、一本の電池コード２８の径より僅かに大きい距離となっており、棚部２７の上面より電池蓋２０の配置位置までの距離Ｌ２は、所定のスペースを構成する距離となっている。
【００２４】
又、図１中、２９は電池ガタ防止リブである。
【００２５】
一方、電池３０は、所定長さで複数本の電池コード２８（図には三本）を介して先端にコネクタ３１を備えている。
【００２６】
以下、本発明の電池の収納構造を実施する形態例の作用を説明する。
【００２７】
携帯機器本体１３に電池３０を収納する際には、レセプタクル１６に電池３０のコネクタ３１を接続して電池３０と回路を接続し、複数の電池コード２８を一列に並べるよう凹部２５と棚部２７との間に電池コード２８を一本ずつ挟み込んで携帯機器本体１３の厚み方向よりフォーミングする。次に、電池収納部１５に電池３０を嵌め込むことにより電池３０の上側面３２、基部２６、電池収納部１５の底面（凹部２５を含む）とで電池コード２８を配置する凹状の通路を形成すると共に、電池３０の上側面３２と基部２６との間に電池コード２８を挟み込んで水平方向よりフォーミングする。更に、電池蓋２０の電池蓋ツメ２１をツメ挿入部２２に挿入して電池蓋２０をスライドさせることにより、リアケース１４の外装面となるよう携帯機器本体１３に電池蓋２０を装着する。
【００２８】
このように、携帯機器本体１３の電池収納部１５に電池３０を収納して電池３０と携帯機器本体１３を形成する基部２６及び電池収納部１５の底面（凹部２５を含む）とで電池コード２８を配置する凹状の通路を形成すると共に、前記通路内に電池コードを位置させる棚部を備えるので、電池３０を携帯機器本体１３に収納する際、電池コード３０を凹状の通路に配置したあと電池３０を収納すれば良いため、電池コード２８をフォーミングするための作業性を高めることができる。また、電池３０の上側面３２により凹状の通路を構成する壁の一部を兼ねることができ、携帯機器内のスペースを確保することができる。
【００２９】
又、電池収納部１５の底面に形成する凹部２５と棚部２７との間に電池コード２８を挟み込んでフォーミングすれば、電池コード２８に巻き付ける熱収縮チューブを不要にし、結果的に、フォーミングのための作業を簡略化すると共にコストを低減し、更には電池コード２８の配置により携帯機器の薄型化を図ることができる。
【００３０】
更に、電池３０の上側面３２と、棚部２７を支持する基部２６とにより、電池コード２８を挟み込んでフォーミングするので、フォーミングのための作業を一層簡略化すると共にコストを更に低減することができる。
【００３１】
又、電池蓋２０の裏面と棚部２７の上面との間に、電池蓋ツメ２１を揺動可能にするスペースを備えるので、電池蓋ツメ２１を容易に挿入し、電池蓋２０と携帯機器本体１３を確実に締結することができる。
【００３２】
更に又、凹部２５を金型の押し切りにより成形すると、携帯機器本体１３の長手方向に成形する金型スライドの場合と異なり、電池コード２８を配置する凹部２５を携帯機器本体１３の厚み方向に成形するので、厚み方向の寸法を小さくし、携帯機器本体１３の薄型化を一層図ることができる。
【００３３】
ここで、金型スライドの場合には、図６に示す如く凹部２５が成形されてない。
【００３４】
尚、本発明の電池の収納構造は、上述の図示例にのみ限定されるものではなく、電池の収納位置に邪魔にならないよう凹部と棚部を他の位置に形成してもよいこと、その他、本発明の要旨を逸脱しない範囲内において種々変更を加え得ることは勿論である。
【００３５】
以上、説明したように本発明の電池の収納構造及びこれを用いた携帯機器によれば、下記の如き、種々の優れた効果を奏し得る。
【００３６】
Ｉ）携帯機器本体に電池を収容することで電池と携帯機器本体とで凹状の通路を形成すると共に、前記通路内に電池コードを位置させる棚部を備えるので、フォーミングのための作業を簡略化すると共にコストを低減し、また電池コードに巻き付ける熱収縮チューブを不要にできる。更には電池コードの配置により携帯機器の薄型化を図ることができる。
【００３７】
ＩＩ）棚部は複数本からなる電池コードを通路内に一列に並べて配置するように設けてあるので、電池コードを綺麗にフォーミングすることができると共に、棚部上方に電池蓋ツメを揺動可能にするスペースを確保できるので、電池蓋ツメを容易に挿入し、電池蓋と携帯機器本体を確実に締結することができる。
【００３８】
ＩＩＩ）一列に並べて配置された複数本からなる電池コードを、電池と携帯機器本体との間に挟み込んで配置するので、フォーミングのための作業を一層簡略化すると共にコストを更に低減することができると共に、電池コードの抜けを防止できる。
【００３９】
ＩＶ）本発明の電池の収納構造を用いて電池を携帯機器本体内に収納して携帯機器を構成するので、電池コードに巻き付ける熱収縮チューブを不要にし、組み立て作業を簡略化すると共にコストを低減し、更には電池コードの配置により携帯機器を薄型化することができる。
【図面の簡単な説明】
【００４０】
【図１】本発明の実施形態における携帯機器本体、電池、電池蓋を示す分解斜視図である。
【図２】携帯機器本体を構成するリアケースを示す正面図である。
【図３】図２のＩＩＩ−ＩＩＩ方向の矢視図である。
【図４】携帯機器本体に電池を装填した状態を示す正面図である。
【図５】携帯機器本体に電池蓋を装着する状態を示す縦断側面図である。
【図６】凹部を金型スライドにより成形した状態を示す縦断側面図である。
【図７】従来の携帯機器本体、電池を示す分解斜視図である。
【符号の説明】
【００４１】
１３    携帯機器本体
２０    電池蓋
２１    電池蓋ツメ
２５    凹部
２６    基部
２７    棚部
２８    電池コード
３０    電池
３２    上側面（側面）
Ｌ２    距離（スペース）
【図１】
2007053104.tif 000003
【図２】
2007053104.tif 000004
【図３】
2007053104.tif 000005
【図４】
2007053104.tif 000006
【図５】
2007053104.tif 000007
【図６】
2007053104.tif 000008
【図７】
2007053104.tif 000009